(57)【要約】【課題】顔面の凹凸によくフィットし、毛穴の汚れや角栓までスムーズに落とすことが可能なクレンジングパッドを提供すること。【解決手段】この発明のクレンジングパッドは、薄板状の本体１の片面２に多数の突起３から構成されるブラシ部４を有しており、前記ブラシ部４を設けた面２を顔面に沿ってしならせることができるように、柔軟性を有しているものとしている。本体１のブラシ部４を設けた面２の反対側に、使用者の指で保持するための保持部を設けたものとしたり、吸盤を設けたものとすることができる。また、ブラシ部４を構成する突起３をシリコンゴムで形成したものとしたり、全体をシリコンゴムその他軟質な合成樹脂で一体に形成したりしたものとすることができる。【選択図】  図２
2004249061.tif 000002
【特許請求の範囲】
【請求項１】
薄板状の本体（１）の片面（２）に多数の突起（３）から構成されるブラシ部（４）を有しており、前記ブラシ部（４）を設けた面（２）を顔面に沿ってしならせることができるように、柔軟性を有していることを特徴とするクレンジングパッド。
【請求項２】
本体（１）のブラシ部（４）を設けた面（２）の反対側に、使用者の指で保持するための保持部（７）を設けた請求項１記載のクレンジングパッド。
【請求項３】
本体（１）のブラシ部（４）を設けた面（２）の反対側に、吸盤（８）を設けた請求項１又は２記載のクレンジングパッド。
【請求項４】
ブラシ部（４）を構成する突起（３）をシリコンゴムで形成した請求項１、２又は３記載のクレンジングパッド。
【請求項５】
全体を軟質な合成樹脂で一体に形成した請求項１、２又は３記載のクレンジングパッド。
【請求項６】
全体をシリコンゴムで一体に形成した請求項１、２又は３記載のクレンジングパッド。
【発明の詳細な説明】
【０００１】
【発明の属する技術分野】
この発明は、化粧落としの際に使用されるクレンジングパッドに関するものである。
【０００２】
【従来の技術】
従来より、顔面の汚れを落とすための用具として、特許文献１に示すようなブラシがある。しかし、このようなブラシは、顔面の凹凸にフィットさせて細やかに汚れを落とせるものではなく、化粧落としには適さないものであった。
【０００３】
そのため、化粧落としを行う際には、クレンジング剤を顔面に塗布し、手のひらで顔面をこすっていることが多い。しかし、手のひらでこするだけでは、毛穴の汚れや角栓までスムーズかつ迅速に落とすことは難しかった。特に、オイルタイプのクレンジング剤を使用した場合は、滑りやすく、汚れ等を落とすことはより困難であった。
【０００４】
【特許文献１】
実開平６−４４４２９号公報
【０００５】
【発明が解決しようとする課題】
そこで、この発明は、顔面の凹凸によくフィットし、毛穴の汚れや角栓までスムーズに落とすことが可能なクレンジングパッドを提供することを課題とする。
【０００６】
【課題を解決するための手段】
前記課題を解決するため、この発明は次のような技術的手段を講じている。
【０００７】
この発明のクレンジングパッドは、薄板状の本体１の片面２に多数の突起３から構成されるブラシ部４を有しており、前記ブラシ部４を設けた面２を顔面に沿ってしならせることができるように、柔軟性を有しているものとしている。
【０００８】
本体１のブラシ部４を設けた面２の反対側６に、使用者の指で保持するための保持部７を設けたものとすることができる。
【０００９】
本体１のブラシ部４を設けた面２の反対側６に、吸盤８を設けたものとすることができる。
【００１０】
また、ブラシ部４を構成する突起３をシリコンゴムで形成したものとしたり、全体をシリコンゴムその他軟質な合成樹脂で一体に形成したりしたものとすることができる。
【００１１】
【発明の実施の形態】
以下、この発明の実施の形態を、図面を参照して説明する。
【００１２】
この発明のクレンジングパッドは、薄板状の本体１の片面２に多数の突起３から構成されるブラシ部４を有しており、前記ブラシ部４を設けた面２を顔面に沿ってしならせることができるように、柔軟性を有しているものである。
【００１３】
図１はこの発明の実施形態のクレンジングパッドの斜視図、図２はブラシ部４を設けた面２を示す正面図、図３は側面図、図４は、クレンジングパッドの使用方法を示す説明図である。
【００１４】
このクレンジングパッドは、全体を、シリコンゴム、ポリエチレン、ポリプロピレン、スチレンゴム、ニトリルゴム、アクリルゴム、エチレン酢ビゴム等の、軟質な合成樹脂で一体に形成したものとすることができる。また、前記合成樹脂に銀や酸化銀の粉末を配合し、にきびの原因となるアクネ菌等に対する抗菌機能や制菌機能を有するものとすることもできる。
【００１５】
この実施形態では、クレンジングパッドは、硬度が３０度程度のシリコンゴムで全体を一体に形成したものとしている。本体１は、厚さ２〜３ｍｍ程度の扁平な略楕円形状で、長径６４ｍｍ程度、短径５０ｍｍ程度としている。
【００１６】
図２に示したように、ブラシ部４は、本体１の片面２の半分以上の領域に及ぶ。ブラシ部４を構成する突起３は、長さ２〜３ｍｍ程度、根元の直径が０．８ｍｍ程度で先端に向かってやや小径となるものとしている。突起３は、縦横に配列され、先端部が隣り合う突起の先端部と１ｍｍ程度の間隔を有するように設けられている。
【００１７】
さらに、ブラシ部４を設けた面２には、ブラシ部４の下方に、多数の断面略半円形状の凸部からなるマッサージ部５を設けている。
【００１８】
本体１のブラシ部４を設けた面２の反対側の面６には、使用者が２本の指で挟んで保持することができる保持部７を設けている。保持部７は、横断面が円形で、面６に対して垂直に突出する突出部として形成され、根元部分と上端部分が拡径した形状となっている。使用者は、根元部分と上端部分の間に、人差し指と中指で保持部７を挟むことにより、このクレンジングパッドを保持することができる。
【００１９】
また、保持部７の外端には、吸盤８が形成されている。この吸盤８により、クレンジングパッドを使用していない間は、鏡や壁面その他適宜に吸着させておくことができる。
【００２０】
このクレンジングパッドを使用してクレンジングを行うには、クレンジング剤を顔面全体になじませた後、目の周りを避け、汚れの気になる部分を中心に、軽いタッチで円を描くようにブラシ部４を当ててこする。そして、クレンジング剤をふき取り、又は洗い流す。
【００２１】
このクレンジングパッドは、全体がシリコンゴムでできているため、柔軟でしなりやすく、顔面の凹凸によくフィットさせることができる。また、多数の柔軟な突起３からなるブラシ部４により、毛穴の汚れ、角栓までスムーズかつ迅速に落とすことができる。特に、オイルタイプのクレンジング剤を使用した場合でも、滑りにくく、しっかりと汚れ等を落とすことができる。しかも、マッサージ効果があり、血行が良くなる。
【００２２】
さらに、このクレンジングパッドのブラシ部４で洗顔剤を泡立てて、きめ細かく密度の高い泡が作れるので、これをクレンジング後の洗顔の際に使用することができる。
【００２３】
また、マッサージ部５を利用して、額などの面をマッサージすることも可能である。
【００２４】
この発明のクレンジングパッドは、本体１のブラシ部４を設けた面２の反対側を、図５、図６に示したような構成とすることもできる。なお、図５、図６に示した実施形態のクレンジングパッドは、いずれも前述の実施形態のクレンジングパッドと同様に、多数の突起３から構成されるブラシ部４を有し、前記ブラシ部４を設けた面２を顔面に沿ってしならせることができるように、柔軟性を有しており、図１に示した実施形態のクレンジングパッドと同様のクレンジングの効果が得られる。
【００２５】
図５に示したクレンジングパッドは、本体１のブラシ部４を設けた面２の反対側に、使用者の指を入れる挿入穴９を有する保持部７を設けたものである。この保持部７は、両端が本体１と一体に形成された帯状体で構成されている。この実施形態のクレンジングパッドは、保持部７の挿入穴９に使用者の２本の指を挿入して保持することにより、より容易に使用することができるようになっている。
【００２６】
図６に示した実施形態のクレンジングパッドは、本体１のブラシ部４を設けた面２の反対側に、本体１の径より大きな径の吸盤８を設けたものとしている。この実施形態のクレンジングパッドは、吸盤８を顔面に吸着させ、そして顔面から引き離すことにより、毛穴の汚れを引き出して落とすことができる。
【００２７】
【発明の効果】
この発明のクレンジングパッドは、上述のような構成を有しており、顔面の凹凸によくフィットし、毛穴の汚れや角栓までスムーズに落とすことが可能である。
【００２８】
また、本体１のブラシ部４を設けた面２の反対側に、２本の指で挟むことができる保持部７を設けることにより、指の間に保持部７を保持し、軽快にクレンジングを行うことができる。
【００２９】
さらに、本体１のブラシ部４を設けた面２の反対側に、吸盤８を設けたものとすることにより、使用しない間、適宜の場所に吸盤８を吸着させて固定しておいたり、吸盤８を顔面に吸着させ、そして顔面から引き離すことにより、毛穴の汚れを引き出して落としたりすることが可能となる。
【００３０】
また、ブラシ部４を構成する突起３をシリコンゴムで形成することにより、滑りにくく、汚れを落とすことが容易になる。さらに、全体をシリコンゴム等の軟質な合成樹脂で一体に形成したものとすることができるので、製造が容易であるとともに、全体的に柔軟性を有し、顔面の凹凸によりフィットするようにすることができる。
【図面の簡単な説明】
【図１】この発明の実施形態のクレンジングパッドの斜視図である。
【図２】この発明の実施形態のクレンジングパッドのブラシ部を設けた面を示す正面図である。
【図３】この発明の実施形態のクレンジングパッドの側面図である。
【図４】この発明の実施形態のクレンジングパッドの使用方法を示す説明図である。
【図５】この発明の他の実施形態のクレンジングパッドの斜視図である。
【図６】この発明のさらに他の実施形態のクレンジングパッドの斜視図である。
【符号の説明】
１  本体
２  片面
３  突起
４  ブラシ部
６  反対側の面
７  保持部
８  吸盤
【図１】
2004249061.tif 000003
【図２】
2004249061.tif 000004
【図３】
2004249061.tif 000005
【図４】
2004249061.tif 000006
【図５】
2004249061.tif 000007
【図６】
2004249061.tif 000008
【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
扁平な本体（１）の一方の面（２）に多数の柔軟な突起（３）からなるブラシ部（４）を設け、クレンジング剤を顔面になじませた後、ブラシ部（４）を当ててこすり、汚れを落とすことができるようにしたことを特徴とするクレンジングパッド。
【請求項２】
全体をシリコン樹脂で一体に形成した請求項１記載のクレンジングパッド。
【請求項３】
突起（３）が長さ２〜３ｍｍ程度で先端に向かってやや小径となるようにした請求項１又は２記載のクレンジングパッド。
【請求項４】
本体（１）のブラシ部（４）を設けた面（２）の反対側に、２本の指で挟むことができる保持部（７）を設けた請求項１、２又は３記載のクレンジングパッド。
【請求項５】
本体（１）のブラシ部（４）を設けた面（２）の反対側に、吸盤（８）を設けた請求項１、２、３又は４記載のクレンジングパッド。
【手続補正２】
【補正対象書類名】明細書
【補正対象項目名】０００７
【補正方法】変更
【補正の内容】
【０００７】
【課題を解決するための手段】
この発明のクレンジングパッドは、扁平な本体１の一方の面２に多数の柔軟な突起３からなるブラシ部４を設け、クレンジング剤を顔面になじませた後、ブラシ部４を当ててこすり、汚れを落とすことができるようにしたものとしている。


【手続補正３】
【補正対象書類名】明細書
【補正対象項目名】０００８
【補正方法】変更
【補正の内容】
【０００８】
全体をシリコン樹脂で一体に形成したものとすることができる。


【手続補正４】
【補正対象書類名】明細書
【補正対象項目名】０００９
【補正方法】変更
【補正の内容】
【０００９】
突起３が長さ２〜３ｍｍ程度で先端に向かってやや小径となるようにしたものとすることができる。


【手続補正５】
【補正対象書類名】明細書
【補正対象項目名】００１０
【補正方法】変更
【補正の内容】
【００１０】
また、本体１のブラシ部４を設けた面２の反対側に、２本の指で挟むことができる保持部７を設けたものとしたり、本体１のブラシ部４を設けた面２の反対側に、吸盤８を設けたものとしたりすることができる。


【手続補正６】
【補正対象書類名】明細書
【補正対象項目名】００１２
【補正方法】変更
【補正の内容】
【００１２】
この発明のクレンジングパッドは、扁平すなわち薄板状の本体１の一方の面２に多数の柔軟な突起３からなるブラシ部４を設け、クレンジング剤を顔面になじませた後、ブラシ部４を当ててこすり、汚れを落とすことができるようにしたものである。
【手続補正７】
【補正対象書類名】明細書
【補正対象項目名】００１４
【補正方法】変更
【補正の内容】
【００１４】
このクレンジングパッドは、前記ブラシ部４を設けた面２を顔面に沿ってしならせることができるように、柔軟性を有しており、全体を、シリコンゴム（シリコン樹脂）、ポリエチレン、ポリプロピレン、スチレンゴム、ニトリルゴム、アクリルゴム、エチレン酢ビゴム等の、軟質な合成樹脂で一体に形成したものとすることができる。また、前記合成樹脂に銀や酸化銀の粉末を配合し、にきびの原因となるアクネ菌等に対する抗菌機能や制菌機能を有するものとすることもできる。


【手続補正８】
【補正対象書類名】明細書
【補正対象項目名】００３０
【補正方法】変更
【補正の内容】
【００３０】
また、全体をシリコンゴム等の軟質な合成樹脂で一体に形成したものとすることができるので、製造が容易であるとともに、全体的に柔軟性を有し、顔面の凹凸によりフィットするようにすることができる。




【手続補正書】
【提出日】平成16年5月20日(2004.5.20)
【手続補正１】
【補正対象書類名】明細書
【補正対象項目名】全文
【補正方法】変更
【補正の内容】
【特許請求の範囲】
【請求項１】扁平な本体（１）の一方の面（２）に多数の柔軟な突起（３）からなるブラシ部（４）を設け、クレンジング剤を顔面になじませた後、ブラシ部（４）を当ててこすり、汚れを落とすことができるようにしたことを特徴とするクレンジングパッド。
【請求項２】突起（３）が長さ２〜３ｍｍ程度で先端に向かってやや小径となるようにした請求項１記載のクレンジングパッド。
【請求項３】本体（１）のブラシ部（４）を設けた面（２）の反対側に、２本の指で挟むことができる保持部（７）を設けた請求項１又は２記載のクレンジングパッド。
【請求項４】本体（１）のブラシ部（４）を設けた面（２）の反対側に、吸盤（８）を設けた請求項１、２又は３記載のクレンジングパッド。
【発明の詳細な説明】
【０００１】
【発明の属する技術分野】
この発明は、化粧落としの際に使用されるクレンジングパッドに関するものである。
【０００２】
【従来の技術】
従来より、顔面の汚れを落とすための用具として、特許文献１に示すようなブラシがある。しかし、このようなブラシは、顔面の凹凸にフィットさせて細やかに汚れを落とせるものではなく、化粧落としには適さないものであった。
【０００３】
そのため、化粧落としを行う際には、クレンジング剤を顔面に塗布し、手のひらで顔面をこすっていることが多い。しかし、手のひらでこするだけでは、毛穴の汚れや角栓までスムーズかつ迅速に落とすことは難しかった。特に、オイルタイプのクレンジング剤を使用した場合は、滑りやすく、汚れ等を落とすことはより困難であった。
【０００４】
【特許文献１】
実開平６−４４４２９号公報
【０００５】
【発明が解決しようとする課題】
そこで、この発明は、顔面の凹凸によくフィットし、毛穴の汚れや角栓までスムーズに落とすことが可能なクレンジングパッドを提供することを課題とする。
【０００６】
【課題を解決するための手段】
前記課題を解決するため、この発明は次のような技術的手段を講じている。
【０００７】
この発明のクレンジングパッドは、扁平な本体１の一方の面２に多数の柔軟な突起３からなるブラシ部４を設け、クレンジング剤を顔面になじませた後、ブラシ部４を当ててこすり、汚れを落とすことができるようにしたものとしている。
【０００８】
突起３が長さ２〜３ｍｍ程度で先端に向かってやや小径となるようにしたものとすることができる。
【０００９】
また、本体１のブラシ部４を設けた面２の反対側に、２本の指で挟むことができる保持部７を設けたものとすることができる。
【００１０】
さらに、本体１のブラシ部４を設けた面２の反対側に、吸盤８を設けたものとすることができる。
【００１１】
【発明の実施の形態】
以下、この発明の実施の形態を、図面を参照して説明する。
【００１２】
この発明のクレンジングパッドは、扁平すなわち薄板状の本体１の一方の面２に多数の柔軟な突起３からなるブラシ部４を設け、クレンジング剤を顔面になじませた後、ブラシ部４を当ててこすり、汚れを落とすことができるようにしたものである。
【００１３】
図１はこの発明の実施形態のクレンジングパッドの斜視図、図２はブラシ部４を設けた面２を示す正面図、図３は側面図、図４は、クレンジングパッドの使用方法を示す説明図である。
【００１４】
このクレンジングパッドは、前記ブラシ部４を設けた面２を顔面に沿ってしならせることができるように、柔軟性を有しており、全体を、シリコンゴム（シリコン樹脂）、ポリエチレン、ポリプロピレン、スチレンゴム、ニトリルゴム、アクリルゴム、エチレン酢ビゴム等の、軟質な合成樹脂で一体に形成したものとすることができる。また、前記合成樹脂に銀や酸化銀の粉末を配合し、にきびの原因となるアクネ菌等に対する抗菌機能や制菌機能を有するものとすることもできる。
【００１５】
この実施形態では、クレンジングパッドは、硬度が３０度程度のシリコンゴムで全体を一体に形成したものとしている。本体１は、厚さ２〜３ｍｍ程度の扁平な略楕円形状で、長径６４ｍｍ程度、短径５０ｍｍ程度としている。
【００１６】
図２に示したように、ブラシ部４は、本体１の片面２の半分以上の領域に及ぶ。ブラシ部４を構成する突起３は、長さ２〜３ｍｍ程度、根元の直径が０．８ｍｍ程度で先端に向かってやや小径となるものとしている。突起３は、縦横に配列され、先端部が隣り合う突起の先端部と１ｍｍ程度の間隔を有するように設けられている。
【００１７】
さらに、ブラシ部４を設けた面２には、ブラシ部４の下方に、多数の断面略半円形状の凸部からなるマッサージ部５を設けている。
【００１８】
本体１のブラシ部４を設けた面２の反対側の面６には、使用者が２本の指で挟んで保持することができる保持部７を設けている。保持部７は、横断面が円形で、面６に対して垂直に突出する突出部として形成され、根元部分と上端部分が拡径した形状となっている。使用者は、根元部分と上端部分の間に、人差し指と中指で保持部７を挟むことにより、このクレンジングパッドを保持することができる。
【００１９】
また、保持部７の外端には、吸盤８が形成されている。この吸盤８により、クレンジングパッドを使用していない間は、鏡や壁面その他適宜に吸着させておくことができる。
【００２０】
このクレンジングパッドを使用してクレンジングを行うには、クレンジング剤を顔面全体になじませた後、目の周りを避け、汚れの気になる部分を中心に、軽いタッチで円を描くようにブラシ部４を当ててこする。そして、クレンジング剤をふき取り、又は洗い流す。
【００２１】
このクレンジングパッドは、全体がシリコンゴムでできているため、柔軟でしなりやすく、顔面の凹凸によくフィットさせることができる。また、多数の柔軟な突起３からなるブラシ部４により、毛穴の汚れ、角栓までスムーズかつ迅速に落とすことができる。特に、オイルタイプのクレンジング剤を使用した場合でも、滑りにくく、しっかりと汚れ等を落とすことができる。しかも、マッサージ効果があり、血行が良くなる。
【００２２】
さらに、このクレンジングパッドのブラシ部４で洗顔剤を泡立てて、きめ細かく密度の高い泡が作れるので、これをクレンジング後の洗顔の際に使用することができる。
【００２３】
また、マッサージ部５を利用して、額などの面をマッサージすることも可能である。
【００２４】
この発明のクレンジングパッドは、本体１のブラシ部４を設けた面２の反対側を、図５、図６に示したような構成とすることもできる。なお、図５、図６に示した実施形態のクレンジングパッドは、いずれも前述の実施形態のクレンジングパッドと同様に、多数の突起３から構成されるブラシ部４を有し、前記ブラシ部４を設けた面２を顔面に沿ってしならせることができるように、柔軟性を有しており、図１に示した実施形態のクレンジングパッドと同様のクレンジングの効果が得られる。
【００２５】
図５に示したクレンジングパッドは、本体１のブラシ部４を設けた面２の反対側に、使用者の指を入れる挿入穴９を有する保持部７を設けたものである。この保持部７は、両端が本体１と一体に形成された帯状体で構成されている。この実施形態のクレンジングパッドは、保持部７の挿入穴９に使用者の２本の指を挿入して保持することにより、より容易に使用することができるようになっている。
【００２６】
図６に示した実施形態のクレンジングパッドは、本体１のブラシ部４を設けた面２の反対側に、本体１の径より大きな径の吸盤８を設けたものとしている。この実施形態のクレンジングパッドは、吸盤８を顔面に吸着させ、そして顔面から引き離すことにより、毛穴の汚れを引き出して落とすことができる。
【００２７】
【発明の効果】
この発明のクレンジングパッドは、上述のような構成を有しており、顔面の凹凸によくフィットし、毛穴の汚れや角栓までスムーズに落とすことが可能である。
【００２８】
また、本体１のブラシ部４を設けた面２の反対側に、２本の指で挟むことができる保持部７を設けることにより、指の間に保持部７を保持し、軽快にクレンジングを行うことができる。
【００２９】
さらに、本体１のブラシ部４を設けた面２の反対側に、吸盤８を設けたものとすることにより、使用しない間、適宜の場所に吸盤８を吸着させて固定しておいたり、吸盤８を顔面に吸着させ、そして顔面から引き離すことにより、毛穴の汚れを引き出して落としたりすることが可能となる。
【００３０】
また、全体をシリコンゴム等の軟質な合成樹脂で一体に形成したものとすることができるので、製造が容易であるとともに、全体的に柔軟性を有し、顔面の凹凸によりフィットするようにすることができる。
【図面の簡単な説明】
【図１】この発明の実施形態のクレンジングパッドの斜視図である。
【図２】この発明の実施形態のクレンジングパッドのブラシ部を設けた面を示す正面図である。
【図３】この発明の実施形態のクレンジングパッドの側面図である。
【図４】この発明の実施形態のクレンジングパッドの使用方法を示す説明図である。
【図５】この発明の他の実施形態のクレンジングパッドの斜視図である。
【図６】この発明のさらに他の実施形態のクレンジングパッドの斜視図である。
【符号の説明】
１  本体
２  片面
３  突起
４  ブラシ部
６  反対側の面
７  保持部
８  吸盤